(57)【要約】【課題】コールドパーマ施術において、髪巻軸に巻付けた頭髪の根元に簡単にして確実にパーマネントウェーブ用薬剤を行きわたらせる様にする。【解決手段】頭髪HAの根元に下端を固定して頭上HEに起立配置し、その下端から上端へ頭髪HAを螺旋状に巻付けて固定する髪巻軸２を備え、該髪巻軸２は有底筒状に形成されると共に、髪巻軸２の周壁に、髪巻軸２の上端開口部2aから中空部2bへ注入されるパーマネントウェーブ用薬剤の流出口４を貫設する。【選択図】図７
2013128700.tif 000002
【特許請求の範囲】
【請求項１】
頭髪の根元に下端を固定して頭上に起立配置し、その下端から上端へ頭髪を螺旋状に巻付けて固定する髪巻軸を備え、該髪巻軸は有底筒状に形成されると共に、髪巻軸の周壁に、髪巻軸の上端開口部から中空部へ注入されるパーマネントウェーブ用薬剤の流出口を貫設したことを特徴とするパーマネントウェーブ用髪巻きロッド。
【請求項２】
髪巻軸の下端側方に櫛歯を突設したことを特徴とする請求項１記載のパーマネントウェーブ用髪巻きロッド。
【請求項３】
髪巻軸には、頭上での髪巻軸の起立状態を安定させる支持脚を設けたことを特徴とする請求項１記載のパーマネントウェーブ用髪巻きロッド。
【請求項４】
髪巻軸にはこれに巻付ける頭髪の固定用クリップを設け、該クリップはＵ字バネからなり、円弧状の屈曲部内径が髪巻軸より大径で、Ｕ字の開放端間を髪巻軸の挿通口と成すと共に、該挿通口に髪巻軸より小径な括れ部を設け、Ｕ字の対向壁の一方又は両方には下端に入口を開設し、該下端口から上方連続すると共に、開放端側へ鉤状に折曲した袋小路状の頭髪案内スリットを穿設したことを特徴とする請求項１、２又は３記載のパーマネントウェーブ用髪巻きロッド。
【請求項５】
屈曲部には、パーマネントウェーブ用薬剤の注入口を穿設したことを特徴とする請求項４記載のパーマネントウェーブ用髪巻きロッド。
【請求項６】
髪巻軸にはこれに巻付ける頭髪の固定用クリップを設け、該クリップは、髪巻軸の周壁を掴持する様に、掴持方向にバネにて付勢された左右一対の挟み部と、該挟み部をバネの付勢力に抗して拡開させる操作部とから成ることを特徴とする請求項１、２又は３記載のパーマネントウェーブ用髪巻きロッド。
【請求項７】
髪巻軸にはこれに巻付ける頭髪の固定用クリップを設け、該クリップは弾性素材にて髪巻軸より大径に成形されたＣ形筒からなり、その側壁に開設された一条の縦スリットの左右又はその一方に連続する袋小路状の横スリットを周方向に穿設したことを特徴とする請求項１、２又は３記載のパーマネントウェーブ用髪巻きロッド。
【請求項８】
髪巻軸にはこれに巻付ける頭髪の固定手段を設け、該固定手段は頭髪に引っ掛かり機能を有する合成繊維製の微小な毛状突起を髪巻軸の周壁表面に多数植立したことを特徴とする請求項１、２、３、４、５、６又は７記載のパーマネントウェーブ用髪巻きロッド。
【発明の詳細な説明】
【技術分野】
【０００１】
本発明は、主にコールドパーマ施術で用いられるパーマネントウェーブ用髪巻きロッドに関する。
【背景技術】
【０００２】
頭髪は、年齢を重ねるにつれ、本数が減少し、また細くなる傾向にあり、その傾向は頭頂部や旋毛の付近でより顕著である。
一般に薄毛の人は、頭髪が寝ているため、髪型や旋毛による毛流の分け目が目立ち、この様子が薄毛を一層強く印象付けている。
【０００３】
そこで、頭髪の薄い部分を隠す一手段として、コールドパーマ施術により頭髪にパーマネントウェーブを施し、頭髪量を豊かに見せることが行われていた。
コールドパーマ施術は、頭髪を髪巻軸に巻付け、かかる頭髪に還元剤からなる第一薬剤を塗布し、頭髪を構成する蛋白質の結合の一部を切断すると共に、蛋白質構造に位置ずれを生じさせ、第一薬剤を洗い流した後、酸化剤から成る第二薬剤を塗布し、蛋白質を再結合させ、第二薬剤を洗い流して仕上げるのだが、例えば、下記特許文献１〜３の各図に示される様に、頭髪は毛先の方からその根元側へと髪巻軸にロール状に巻付けられ、頭髪巻付け後の髪巻軸は、頭部上に横臥状態にて配置され、毛髪の根元近くでは巻きが太くなることから、頭皮間際までは頭髪を巻付けることができず、そのため毛流の分かれ目付近では、ウェーブが弱く、頭髪を立ち上がらせることができず、むしろ毛流の分け目が目立っていた。
【０００４】
上記不具合を解消すべく、特許文献４に開示されたコールドパーマの施術方法では、頭髪を髪巻軸に巻付ける際、毛流の分け目において、髪巻軸下端を頭髪の根元に固定して頭上に髪巻軸を起立配置し、頭髪をその根元側から先端側へと螺旋状に髪巻軸に巻付け、巻付けた頭髪の先端側を髪巻軸の上端に固定することによって、頭髪を根元から立ち上げさせ、毛流の分け目を幾分覆い隠して目立たなくすると共に、頭髪に量感を醸し出させる様にしている。
【先行技術文献】
【特許文献】
【０００５】
【特許文献１】特開平１０−１４６４８号公報（図１及び図４）
【特許文献２】特許第２８３３９５８号公報（図１のＢ、図２及び図４のＢ）
【特許文献３】特許第３１５９９６７号公報（図６〜図９）
【特許文献４】特開２０１１−６７６０７号公報
【発明の概要】
【発明が解決しようとする課題】
【０００６】
しかしながら、特許文献４のコールドパーマ施術では、多数の髪巻軸が頭上に起立しているので刺々しく、髪巻軸に巻付けた頭髪にパーマネントウェーブ用薬剤（上記第一、二薬剤）を塗布し難いといった課題を有している。
そこで、本発明では、上記髪巻軸を使用するコールドパーマ施術において、髪巻軸に巻付けた頭髪の根元に簡単にして確実にパーマネントウェーブ用薬剤を行きわたらせる様にしたパーマネントウェーブ用髪巻きロッドを提供することを目的としている。
【課題を解決するための手段】
【０００７】
上記課題に鑑み、本発明のパーマネントウェーブ用髪巻きロッドは、頭髪の根元に下端を固定して頭上に起立配置し、その下端から上端へ頭髪を螺旋状に巻付けて固定する髪巻軸を備え、該髪巻軸は有底筒状に形成されると共に、髪巻軸の周壁に、髪巻軸の上端開口部から中空部へ注入されるパーマネントウェーブ用薬剤の流出口を貫設したことを特徴とする。
又、髪巻軸には、その下端側方に櫛歯を突設したり、頭上での髪巻軸の起立状態を安定させる支持脚を設けても良い。
髪巻軸にはこれに巻付ける頭髪の固定用クリップを設け、該クリップはＵ字バネからなり、円弧状の屈曲部内径が髪巻軸より大径で、Ｕ字の開放端間を髪巻軸の挿通口と成すと共に、該挿通口に髪巻軸より小径な括れ部を設け、Ｕ字の対向壁の一方又は両方には下端に入口を開設し、該下端口から上方連続すると共に、開放端側へ鉤状に折曲した袋小路状の頭髪案内スリットを穿設したもの、又は前記屈曲部にパーマネントウェーブ用薬剤の注入口を穿設したものであったり、或いは、髪巻軸の周壁を掴持する様に、掴持方向にバネにて付勢された左右一対の挟み部と、該挟み部をバネの付勢力に抗して拡開させる操作部とから成るもの、又は弾性素材にて髪巻軸より大径に成形されたＣ形筒からなり、その側壁に開設された一条の縦スリットの左右又はその一方に連続する袋小路状の横スリットを周方向に穿設したものでも良い。
更に、髪巻軸にはこれに巻付ける頭髪の固定手段を設け、該固定手段は頭髪に引っ掛かり機能を有する合成繊維製の微小な毛状突起を髪巻軸の周壁表面に多数植立しても良い。
【発明の効果】
【０００８】
要するに本発明は、頭髪の根元に下端を固定して頭上に起立配置し、その下端から上端へ頭髪を螺旋状に巻付けて固定する髪巻軸を備え、該髪巻軸は有底筒状に形成されると共に、髪巻軸の周壁に、髪巻軸の上端開口部から中空部へ注入されるパーマネントウェーブ用薬剤の流出口を貫設したので、頭部各所で頭髪を巻付けて起立した多数の髪巻軸の各上端開口部から中空部へパーマネントウェーブ用薬剤を単に注入するだけで、髪巻軸に設けた流出口からパーマネントウェーブ用薬剤が流下し、パーマネントウェーブ用薬剤を髪巻軸に巻付けた頭髪の根元は元より全体に簡単にして確実に行きわたらせることができる。
【０００９】
髪巻軸の下端側方に櫛歯を突設したので、櫛歯を頭髪の根元に差し込むだけで、その根元に髪巻軸下端を簡単容易にして迅速に固定でき、これにより頭上に起立配置した髪巻軸への頭髪の巻付け作業に直ちにとりかかれる。
【００１０】
髪巻軸には、頭上での髪巻軸の起立状態を安定させる支持脚を設けたので、頭髪の根元に下端を固定して髪巻軸を頭上に安定的に起立配置でき、その後の髪巻軸への頭髪の巻付け作業を良好に行える。
【００１１】
髪巻軸にはこれに巻付ける頭髪の固定用クリップを設け、該クリップはＵ字バネからなり、円弧状の屈曲部内径が髪巻軸より大径で、Ｕ字の開放端間を髪巻軸の挿通口と成すと共に、該挿通口に髪巻軸より小径な括れ部を設けることにより、クリップの挿通口を髪巻軸に押し当てて括れ部を一旦弾性拡開させて屈曲部内に髪巻軸を押込んで、該髪巻軸に屈曲部を遊嵌できる。
かかる状態で、頭髪の根元に下端を固定して髪巻軸を頭上に起立配置した後、Ｕ字の対向壁に穿設され、その下端に開設した下端口から上方連続すると共に、開放端側へ鉤状に折曲した袋小路状の頭髪案内スリット内に頭髪を挿入掛止し、クリップを回転させながら引き上げると、頭髪は髪巻軸に一気にその下端から上端へ螺旋状に巻付けできる。
この時、髪巻軸と屈曲部との間に頭髪が挟み込まれているため、押し広げられたクリップの弾性復元力にて、クリップが頭髪ごと髪巻軸を締め付け、髪巻軸に頭髪を巻き戻ることのない様に効率良く巻付け保持できる。
【００１２】
屈曲部には、パーマネントウェーブ用薬剤の注入口を穿設したので、髪巻軸上端に保持されているクリップの屈曲部内に存する頭髪にも注入口からパーマネントウェーブ用薬剤を注入塗布できる共に、注入口からクリップ内の頭髪の状態を確認できる。
【００１３】
髪巻軸にはこれに巻付ける頭髪の固定用クリップを設け、該クリップは、髪巻軸の周壁を掴持する様に、掴持方向にバネにて付勢された左右一対の挟み部と、該挟み部をバネの付勢力に抗して拡開させる操作部とから成るので、頭髪の根元に下端を固定して髪巻軸を頭上に起立配置し、髪巻軸下端から上端へ頭髪を螺旋状に巻付けた後、操作部によって挟み部を拡開して髪巻軸と共に頭髪を掴持することにより、頭髪が巻き戻ることのない様にこれを髪巻軸に簡単に保持できる。
【００１４】
髪巻軸にはこれに巻付ける頭髪の固定用クリップを設け、該クリップは弾性素材にて髪巻軸より大径に成形されたＣ形筒からなり、その側壁に開設された一条の縦スリットの左右又はその一方に連続する袋小路状の横スリットを周方向に穿設したので、頭髪の根元に下端を固定して髪巻軸を頭上に起立配置した後、縦スリットから横スリットへ頭髪を挿入して掛止し、髪巻軸に縦スリットを押し当てることにより、これを一旦弾性拡開させてクリップ内に頭髪と髪巻軸を押込むことができる。
次いで、クリップを回転させながら引き上げると、頭髪は髪巻軸に一気にその下端から上端へ螺旋状に巻付けできる。
この時、髪巻軸とクリップとの間に頭髪が挟み込まれているため、押し広げられたクリップの弾性復元力にて、クリップが頭髪ごと髪巻軸を締め付け、髪巻軸に頭髪が巻き戻ることのない様に効率良く巻付け保持できる。
【００１５】
髪巻軸にはこれに巻付ける頭髪の固定手段を設け、該固定手段は頭髪に引っ掛かり機能を有する合成繊維製の微小な毛状突起を髪巻軸の周壁表面に多数植立したので、頭髪の根元に下端を固定して髪巻軸を頭上に起立配置した後、頭髪を髪巻軸にその下端から上端へ螺旋状に巻付けるだけで、頭髪は毛状突起に絡み付いて髪巻軸に簡単に保持できる等その実用的効果甚だ大である。
【図面の簡単な説明】
【００１６】
【図１】髪巻軸の正面図である。
【図２】図１の中央縦断面図である。
【図３】図１の平面図である。
【図４】クリップの正面図である。
【図５】図４の平面図である。
【図６】図４の左側面図である。
【図７】使用状態を示す図である。
【図８】髪巻軸の第二実施例を示す側面図である。
【図９】クリップの第二実施例を示す図であり、(a) は平面図、(b) は側面図である。
【図１０】第二実施例の使用状態を示す図である。
【図１１】髪巻軸の第三実施例を示す図であり、(a) は平面図、(b) は正面図、(c) は底面図である。
【図１２】クリップの第三実施例を示す図であり、(a) は平面図、(b) は正面図である。
【図１３】第三実施例の使用状態を示す図である。
【発明を実施するための形態】
【００１７】
以下本発明の実施の一形態例を図面に基づいて説明する。
本発明に係るパーマネントウェーブ用髪巻きロッド１（以下、パーマ用髪巻きロッド１と称する。）は、頭髪HAの根元に下端を固定して頭上HEに起立配置し、その下端から上端へ頭髪HAを螺旋状に巻付けて固定する髪巻軸２を備えている。
【００１８】
髪巻軸２はプラスチック製にて有底筒状に形成され、髪巻軸２の下端側方に櫛歯３を突設してレーキ状に形成される。
尚、本実施例では櫛歯３を髪巻軸２の下端側方の一部（髪巻軸２下端周壁の一部）に突設したものを示したが、髪巻軸２の下端側方全体（髪巻軸２下端周壁の一周）に突設しても良い。
そして、髪巻軸２の周壁適所には、髪巻軸２の上端開口部2aから中空部2bへ注入されるパーマネントウェーブ用薬剤（図示せず）の流出口４を貫設している。
流出口４は、図示例では、下方の左右に一対設け、その上方に前後に一対設けているが、流出口４の数、大きさ、形成位置は適宜に設定される。
【００１９】
髪巻軸２にはこれに巻付ける頭髪HAの固定用クリップ５を設けている。
クリップ５はプラスチック製などの弾性素材にて成形されたＵ字バネからなり、円弧状の屈曲部5a内径が髪巻軸２より大径で、Ｕ字の開放端間を髪巻軸２の挿通口６と成すと共に、該挿通口６に髪巻軸２より小径な括れ部6aを設けている。
そして、クリップ５の挿通口６を髪巻軸２に押し当てて括れ部6aを一旦弾性拡開させて屈曲部5a内に髪巻軸２を押込んで、該髪巻軸２に屈曲部5aを遊嵌している。
【００２０】
又、クリップ５において、Ｕ字の対向壁5bの一方又は両方には下端に入口7aを開設し、該下端口7aから上方連続すると共に、開放端側へ鉤状に折曲した袋小路状の頭髪案内スリット７を穿設している。
頭髪案内スリット７は、左右のうち一方向だけに設けても良いが、頭髪HAの髪巻軸２への左巻付け、右巻付けの両方に対応すべく、図示例の様に左右両方に設けるのがより良い。
【００２１】
屈曲部5aには、パーマネントウェーブ用薬剤（以下、パーマ用薬剤と称する。）の注入口８を穿設している。
【００２２】
上記の様に構成されたパーマ用髪巻きロッド１にあっては、先ず、髪型や旋毛による頭髪HAの分け目において、適宜量の頭髪HAを一束分け取り、かかる頭髪HAの根元に髪巻軸２の櫛歯３を差し込んで固定し、頭上HEに髪巻軸２を起立状態にて配置する。
次いで、髪巻軸２に屈曲部5aが遊嵌しているクリップ５の一方の下端口7aから頭髪HAの根元側を挿入し、これを頭髪案内スリット７に沿ってその末端側へ誘導して掛止し、クリップ５を回転させながら引き上げると、頭髪HAは髪巻軸２に一気にその下端から上端へ螺旋状に巻付けられる。
【００２３】
この時、髪巻軸２と屈曲部5aとの間に頭髪HAが挟み込まれているため、押し広げられたクリップ５の弾性復元力にて、クリップ５が頭髪HAごと髪巻軸２を締め付け、髪巻軸２上端に頭髪HAが巻き戻ることのない様に保持する。
【００２４】
上記手法により、パーマ用髪巻きロッド１を頭部各所でセットすることにより、頭上HEでは頭髪HAを巻付けた多数の髪巻軸２が起立している。
そして、髪巻軸２に巻付けた頭髪HAには、還元剤からなる第一薬剤を塗布し、これを洗い流した後、酸化剤からなる第二薬剤を塗布する。
【００２５】
上記パーマ用薬剤（第一、第二薬剤）の塗布に際しては、髪巻軸２の上端開口部2aから中空部2bへパーマ用薬剤を注入することにより、髪巻軸２下方に設けた流出口４からパーマ用薬剤が流下し、該パーマ用薬剤を頭髪HAの根元に行きわたらせられる。
又、パーマ用薬剤（第一、第二薬剤）は、屈曲部5aの注入口８からも注入され、これにより髪巻軸２上端に保持されているクリップ５の屈曲部5a内に存する頭髪HAにもパーマ用薬剤を注入塗布できる共に、注入口８から屈曲部5a内の頭髪HAの状態を確認できる。
そして、第二薬剤の塗布から適宜時間経過後、クリップ５を髪巻軸２から抜き取ると共に、髪巻軸２を頭上HEから取り去り、巻付けた頭髪HAをほぐし、第二薬剤を洗い流して仕上げることにより、頭髪HAの根元にして頭皮間際にパーマネントウェーブを形成し、頭髪HAを立ち上げさせられる。
【００２６】
次に、髪巻軸２を変形した第二実施例について図８に基づいて説明する。
この変形例は、上記と同一構成の髪巻軸２に巻付ける頭髪HAの固定手段９を設けたものであり、その他は上記と同一構成のため、上記と同一又は相当部分には同じ符号を図中に付し、説明は省略する。
固定手段９は頭髪HAに引っ掛かり機能を有する合成繊維製の微小な毛状突起10ａを髪巻軸２の周壁表面に多数植立している。
【００２７】
毛状突起10ａは、面ファスナの一方であるフックテープやマッシュルームテープなどの凸面テープ10に形成された鉤針（フック）状又はきのこ（マッシュルーム）状パイルであり、図示例では、髪巻軸２下端の周壁表面に凸面テープ10を接着し、該凸面テープ10の流出口４対応箇所に流出口４との連通口10ｂを設けている。
【００２８】
尚、図示例では、髪巻軸２下端の周壁表面にのみ凸面テープ10を接着しているが、髪巻軸２の周壁表面全体や、髪巻軸２上端、或いは上中下部位など部分的に凸面テープ10を接着して毛状突起10ａを設けても良い。
【００２９】
又、クリップの第二実施例を図９に基づいて説明する。尚、図中には装着した第二実施例の髪巻軸２を二点鎖線で示す。
このクリップ11は、髪巻軸２の周壁を掴持する様に、掴持方向に捻じりコイルバネ12（以下、単にバネ12と称する。）にて付勢された左右一対の挟み部13と、該挟み部13をバネ12の付勢力に抗して拡開させる操作部13ａとから成る。
【００３０】
挟み部13は内側が髪巻軸２とほぼ同一な半円弧板状に形成され、挟み部13後方に所定角度を以て屈曲する様に平板状の操作部13ａを連続形成しており、挟み部13と操作部13ａが連続する左右対称な左部11ａと右部11ｂは、夫々の屈曲部に相互に向き合う突片14を設け、該突片14を枢着すると共に、左部11ａと右部11ｂの操作部13ａ間にバネ12を介装している。
これにより、操作部13ａをバネ12の付勢力に抗して押圧することにて挟み部13を拡開でき、操作部13ａに対する押圧力を解除することにて挟み部13を閉じることができる。
【００３１】
図８に示す髪巻軸２と図９に示すクリップ11を備えた第二実施例のパーマ用髪巻きロッド１にあっては、上記と同様に、髪型や旋毛による頭髪HAの分け目において、適宜量の頭髪HAを一束分け取り、かかる頭髪HAの根元に髪巻軸２の櫛歯３を差し込んで固定し、頭上HEに髪巻軸２を起立状態にて配置する。
【００３２】
次に、頭髪HAを髪巻軸２にその下端から上端へ螺旋状に巻付ける。
特に、毛状突起10ａを髪巻軸２の上端又は全体に設けたものにあっては、この様に髪巻軸２に頭髪HAを巻付けるだけで、頭髪HAは毛状突起10ａに絡み付いて髪巻軸２に保持されるので、この場合には必ずしもクリップ11を用いなくても良い。
【００３３】
図10では、髪巻軸２下端にのみに毛状突起10ａが形成されているだけのため、髪巻軸２上端をこれに巻付けた頭髪HAと共にクリップ11の挟み部13で掴持して髪巻軸２に頭髪HAを固定する。
【００３４】
この後は、上記と同一の手順でパーマ用薬剤（第一、第二薬剤）を頭髪HAに塗布し、クリップ11を髪巻軸２から外すと共に、毛状突起10ａに絡み付いた頭髪HAをほぐしながら髪巻軸２を頭上HEから取り去り、第二薬剤を洗い流して仕上げることにより、頭髪HAの根元にして頭皮間際にパーマネントウェーブを形成し、頭髪HAを立ち上げさせられる。
【００３５】
次に、髪巻軸２を変形した第三実施例について図11に基づいて説明する。
この変形例は、上記髪巻軸２の下端側を変形したものであり、その他は上記と同一構成のため、上記と同一又は相当部分には同じ符号を図中に付し、説明は省略する。
この変形例では、髪巻軸２の下端に頭上HEでの髪巻軸２の起立状態を安定させる支持脚15を設けている。
支持脚15は、髪巻軸２を中心とする適宜径の円周（図11(a) に一例を一点鎖線で示す。）上で中心角１２０度の位置毎に脚部15ａを配置した三脚から成る。
尚、支持脚15は、上記三脚に限定されず、要するに頭上HEでの髪巻軸２の起立状態を安定させる構成であれば良い。
【００３６】
又、クリップの第三実施例を図12に基づいて説明する。尚、図中には装着した第三実施例の髪巻軸２を二点鎖線で示す。
このクリップ16は、プラスチック製など弾性素材にて髪巻軸２より大径に成形されたＣ形筒からなり、側壁に開設された一条の縦スリット17の左右又はその一方に連続する袋小路状の横スリット18を周方向に穿設している。
横スリット18は、左右のうち一方向だけに設けても良いが、頭髪HAの髪巻軸２への左巻付け、右巻付けの両方に対応すべく、図示例の様に左右両方に設けるのがより良い。
【００３７】
図11に示す髪巻軸２と図12に示すクリップ16を備えた第三実施例のパーマ用髪巻きロッド１にあっては、上記と同様に、髪型や旋毛による頭髪HAの分け目において、適宜量の頭髪HAを一束分け取り、かかる頭髪HAの根元にして頭上HEに髪巻軸２の支持脚15を接地し、頭上HEに髪巻軸２を起立状態にて配置する。
そして、クリップ16の縦スリット17から横スリット18へ頭髪HAの根元側を挿入して掛止し、髪巻軸２に縦スリット17を押し当てることにより、縦スリット17を一旦弾性拡開させてクリップ16内に頭髪HAと髪巻軸２を押込み、次いでクリップ16を回転させながら引き上げると、頭髪HAは髪巻軸２に一気にその下端から上端へ螺旋状に巻付けられる。
【００３８】
この時、髪巻軸２とクリップ16との間に頭髪が挟み込まれているため、押し広げられたクリップ16の弾性復元力にて、クリップ16が頭髪HAごと髪巻軸２を締め付け、髪巻軸２上端に頭髪HAが巻き戻ることのない様に保持する。
この後は、上記と同一の手順でパーマ用薬剤（第一、第二薬剤）を頭髪HAに塗布し、クリップ16を髪巻軸２から抜き取ると共に、髪巻軸２を頭上HEから取り去り、頭髪HAをほぐし、第二薬剤を洗い流して仕上げることにより、頭髪HAの根元にして頭皮間際にパーマネントウェーブを形成し、頭髪HAを立ち上げさせられる。
【００３９】
尚、支持脚15を設けた髪巻軸２においても、その適所に凸面テープ10を接着して、毛状突起10ａを形成しても良い。
又、櫛歯３を設けた髪巻軸２、支持脚15を設けた髪巻軸２、これらの髪巻軸２に毛状突起10ａを設けた髪巻軸２のいずれに対しても、上記クリップ５、11、16は適用可能である。
【符号の説明】
【００４０】
２    髪巻軸
2a    上端開口部
2b    中空部
３    櫛歯
４    流出口
５    クリップ
5a    屈曲部
5b    対向壁
６    挿通口
6a    括れ部
７    頭髪案内スリット
7a    下端口（入口）
８    注入口
９    固定手段
10ａ  毛状突起
11    クリップ
12    バネ
13    挟み部
13ａ  操作部
15    支持脚
16    クリップ
17    縦スリット
18    横スリット
HA    頭髪
HE    頭上
【図１】
2013128700.tif 000003
【図２】
2013128700.tif 000004
【図３】
2013128700.tif 000005
【図４】
2013128700.tif 000006
【図５】
2013128700.tif 000007
【図６】
2013128700.tif 000008
【図７】
2013128700.tif 000009
【図８】
2013128700.tif 000010
【図９】
2013128700.tif 000011
【図１０】
2013128700.tif 000012
【図１１】
2013128700.tif 000013
【図１２】
2013128700.tif 000014
【図１３】
2013128700.tif 000015